(57)【特許請求の範囲】
【請求項１】
出力電圧の大きさ、周波数および位相の制御が可能な電力変換器を介して給電される交流電動機の一次電流を該交流電動機の磁束と平行な磁化電流成分とこれに直交するトルク電流成分とに分離して出力する３相／２相変換器と、前記交流電動機の一次電流を磁化電流成分とトルク電流成分を独立に調整して第１の電圧指令値を出力する電流制御手段と、少なくともトルク電流指令値と前記交流電動機の電気定数を用いて第２の電圧指令値を演算して出力する電圧指令補償手段と、前記第１と前記第２の各電圧指令値の加算値を３相電圧指令に変換して前記電力変換器に出力する２相／３相変換器と、前記交流電動機の速度推定値及び前記トルク電流指令値から一次角周波数を演算する一次角周波数演算手段と、前記一次角周波数を積算し、前記３相／２相変換器と前記２相／３相変換器とに出力する積算器とを備えた少なくとも前記交流電動機のトルクを制御する交流電動機の可変速制御装置において、
前記磁化電流成分と前記トルク電流成分及び速度指令値を基に磁化電流指令値、前記トルク電流指令値及び前記速度推定値を求める電流ベクトル制御回路を有し、
始動時、前記交流電動機に所望のトルクを発生させるべくトルク電流補償値を設定するトルク補償入力手段と、
前記トルク電流指令値を補償し、前記電圧指令補償手段と前記一次角周波数演算手段回路へ出力するトルク電流補正手段とを備えたことを特徴とする交流電動機の可変速制御装置。
【請求項２】
前記トルク電流補正手段が、前記電流ベクトル制御回路で演算されるトルク電流指令値を前記トルク補償値入力手段から入力されるトルク電流補償値で下限リミットする下限リミット手段を備えたことを特徴とする請求項１記載の交流電動機の可変速制御装置。
【請求項３】
前記トルク電流補正手段が、前記トルク電流補償値入力手段から入力されるトルク電流補償値と前記電流ベクトル制御回路で演算されるトルク電流指令値のどちらか大きい方を選択する選択手段を備えたことを特徴とする請求項１記載の交流電動機の可変速制御装置。
【請求項４】
前記トルク電流補正手段が、始動開始から一定時間内は外部から入力される前記トルク電流補償値を出力し、一定時間経過後は前記電流ベクトル制御回路の出力をトルク電流指令値として出力する切り替え手段を備えたことを特徴とする請求項１記載の交流電動機の可変速制御装置。
【発明の詳細な説明】
【０００１】
【発明の属する技術分野】
本発明は、センサレスベクトル制御により交流電動機を制御する可変速制御装置に関する。
【０００２】
【従来の技術】
従来、誘導電動機や同期電動機からなる交流電動機を制御する技術として、可変電圧可変周波数による速度制御が知られている。さらに、近年では、より高精度に誘導電動機を制御するべく、誘導電動機に供給される一次電流を、トルクに直接関与する磁化電流（磁束を発生させる電流）とトルク電流（トルクを発生させる電流）とをそれぞれ独立に制御するベクトル制御が実用化されている。
図４は、従来の誘導電動機を駆動する可変速制御装置の全体構成を示すブロック図である。図４において、この可変速制御装置は、３相交流電源からの交流電源を直流化したのち、ＰＷＭ制御方式によるインバータで任意の周波数と電圧の交流に再度変換し、この一次周波数および一次電圧を誘導電動機９に供給する電力変換器１が設けられている。
さらに、この可変速制御装置は、外部から入力される速度指令値ωrrefが入力され、かつ、以降で説明する３相／２相変換器３が出力する磁化電流帰還値ｉｄｆｂおよびトルク電流帰還値ｉｑｆｂから速度推定値ωr 、磁化電流指令値ｉｄｒｅｆおよびトルク電流指令値ｉｑｒｅｆを求める電流ベクトル制御回路２を有している。さらに、誘導電動機９への一次電流（Ｕ相電流ｉｕ、Ｗ相電流ｉw ）を検出して座標変換を行なった磁化電流帰還値ｉｄｆｂおよびトルク電流帰還値ｉｑｆｂを送出する３相／２相変換器３が設けられている。
また、この可変速制御装置は、電流ベクトル制御回路２からの速度推定値ωr 、磁化電流指令値ｉｄｒｅｆおよびトルク電流指令値ｉｑｒｅｆから一次角周波数ω１を演算して出力する一次角周波数演算回路４を有している。また、電流ベクトル制御回路２からの磁化電流指令値ｉｄｒｅｆと３相／２相変換器３からの磁化電流帰還値ｉｄｆｂとが一致するように磁化電流方向電圧を制御する磁化電流制御回路（ＡＣＲｄ）５が設けられている。
さらに、この可変速制御装置には、電流ベクトル制御回路２が出力するトルク電流指令値ｉｑｒｅｆと３相／２相変換器３が出力するトルク電流帰還値ｉｑｆｂとが一致するように制御するためのトルク電流制御回路（ＡＣＲｑ）６が設けられている。また、誘導電動機９の漏れインダクタンスや一次抵抗による逆起電力の磁化電流方向成分の電圧指令値と、誘導電動機９の磁束で発生し誘導起電力係数による誘起電圧指令値と一次抵抗による逆起電力のトルク電流方向成分の電圧指令値を出力する電圧指令補償回路７を有している。この電圧指令補償回路７の出力のうち、磁化電流方向成分の電圧指令値は、磁化電流制御回路（ＡＣＲｄ）５の出力と加算され磁化電流方向電圧指令値Ｖｄｒｅｆを生成し、もう一方のトルク電流方向成分の電圧指令値は、トルク電流制御回路（ＡＣＲｑ）６の出力と加算されトルク電流方向電圧指令値Ｖｑｒｅｆを生成する。さらに、磁化電流方向電圧指令値Ｖｄｒｅｆとトルク電流方向電圧指令値ＶｑｒｅｆとからＵ，Ｖ，Ｗ，の各相の電圧指令（Ｖu 、Ｖｖ、Ｖｗ）のＰＷＭ信号を生成して出力する２相／３相変換器８が設けられている。
また、一次角周波数指令演算回路４からの一次角周波数ω１は、積算器１０により積算され、３相／２相変換器３および２相／３相変換器８へ、位相θとして入力される。
速度制御部（ＡＳＲ）を内蔵する可変速制御装置では、通常、速度制御部（ＡＳＲ）出力に外部の上位コントローラ等からトルク補償値を与え、始動時に誘導電動機が発生するトルクの立ち上がりを速くする手法を用いている。
【０００３】
【発明が解決しようとする課題】
しかしながら、可変速制御装置自体に速度制御部（ＡＳＲ）を内蔵せずに磁化電流、トルク電流の検出値からトルク電流指令を演算して求める可変速制御装置では、始動時における交流電動機の発生トルクの立ち上がりが遅く、速度指令応答が悪いという問題があった。
本発明は上述した事情からなされたものであり、本発明の目的は速度制御部（ＡＳＲ）を持たずに、磁化電流，トルク電流の各検出値を基にトルク電流指令値を求めるセンサレス交流電動機の可変速制御装置での始動時における交流電動機のトルクの立ち上がりを速め、速度指令応答のよい運転をすることにある。
【０００４】
【課題を解決するための手段】
上記問題を解決するため、本発明は次のように構成したのである。
請求項１に記載の発明は、出力電圧の大きさ、周波数および位相の制御が可能な電力変換器を介して給電される交流電動機の一次電流を該交流電動機の磁束と平行な磁化電流成分とこれに直交するトルク電流成分とに分離して出力する３相／２相変換器と、前記交流電動機の一次電流を磁化電流成分とトルク電流成分を独立に調整して第１の電圧指令値を出力する電流制御手段と、少なくともトルク電流指令値と前記交流電動機の電気定数を用いて第２の電圧指令値を演算して出力する電圧指令補償手段と、前記第１と前記第２の各電圧指令値の加算値を３相電圧指令に変換して前記電力変換器に出力する２相／３相変換器と、前記交流電動機の速度推定値及び前記トルク電流指令値から一次角周波数を演算する一次角周波数演算手段と、前記一次角周波数を積算し、前記３相／２相変換器と前記２相／３相変換器とに出力する積算器とを備えた少なくとも前記交流電動機のトルクを制御する交流電動機の可変速制御装置において、前記磁化電流成分と前記トルク電流成分及び速度指令値を基に磁化電流指令値、前記トルク電流指令値及び前記速度推定値を求める電流ベクトル制御回路を有し、始動時、前記交流電動機に所望のトルクを発生させるべくトルク電流補償値を設定するトルク補償入力手段と、前記トルク電流指令値を補償し、前記電圧指令補償手段と前記一次角周波数演算手段回路へ出力するトルク電流補正手段とを備えたものである。
また、本発明にあっては、前記トルク電流補正手段が、前記電流ベクトル制御回路で演算されるトルク電流指令値を前記トルク補償値入力手段から入力されるトルク電流補償値で下限リミットする下限リミット手段を備えたものである。また、前記トルク電流補正手段が、前記トルク電流補償値入力手段から入力されるトルク電流補償値と前記電流ベクトル制御回路で演算されるトルク電流指令値のどちらか大きい方を選択する選択手段を備えたものである。また、前記トルク電流補正手段が、始動開始から一定時間内は外部から入力される前記トルク電流補償値を出力し、一定時間経過後は前記電流ベクトル制御回路の出力をトルク電流指令値として出力する切り替え手段を備えたものである。また、前記トルク補償値入力手段から入力されるトルク電流補償値を前記電流ベクトル制御回路で演算されるトルク電流指令値に置き換えているので、始動時においても、交流電動機の発生トルクが素早く立ち上がり、速度指令応答のよい運転ができる。
【０００５】
【発明の実施の形態】
次に、本発明の可変速制御装置の実施例を図面に基づいて詳細に説明する。図１は本発明の第１実施例の誘導電動機を駆動する可変速制御装置の全体構成を示すブロック図であり、図２は図１の要部の処理機能を示すブロック図である。従来例の図４と異なるところは、外部から入力されるトルク電流補償値ｉｑｃｍｐを設定する入力手段１１と下限リミッタ１２を設けたところである。図１〜図３において従来例の図４と同一名称には同一符号を付け、重複説明を省略する。  下限リミット手段１２では、電流ベクトル制御回路２の出力値が、外部から入力されるトルク電流補償値ｉｑｃｍｐより小さい場合は、電流ベクトル制御回路２の出力値を外部から入力されるトルク電流補償値ｉｑｃｍｐで下限リミットした後、トルク電流指令値として出力し、電流ベクトル制御回路２の出力値が、外部から入力されるトルク電流補償値ｉｑｃｍｐより大きい場合は、電流ベクトル制御回路２の出力値を、そのままトルク電流指令値ｉｑｒｅｆとして出力する。また、下限リミット手段１２では、いったん、電流ベクトル制御回路２の出力がトルク電流指令ｉｑｒｅｆとして出力されると、トルク電流補償値を０にする処理が付加され、この後、下限リミット手段１２の出力値は、電流ベクトル制御回路２の出力値となるようにしている。このように、第１実施例の可変速制御装置では、トルク電流指令値ｉｑｒｅｆの立ち上がりが遅い間は、外部から入力されるトルク電流補償値ｉｑｃｍｐがトルク電流指令値ｉｑｒｅｆとなる。
【０００６】
次に第２実施例について説明する。
この第２の実施例の構成は、第１の実施例のうち、下限リミット手段１２が選択手段１２’に変わるだけで、他の動作はすべて第１実施例と同様である。図３（ａ）は、選択手段１２’の処理機能を示すブロック図である。以下、選択手段１２’の動作について説明する。
選択手段１２’では、外部から入力されるトルク電流補償値ｉｑｃｍｐと電流ベクトル制御回路２の出力のうち、大きい方を選択し、トルク電流指令値ｉｑｒｅｆとして出力する。また、選択手段１２’では、いったん、電流ベクトル制御回路２の出力がトルク電流指令ｉｑｒｅｆとして出力されると、トルク電流補償値を０にする処理が付加され、この後、選択手段１２’の出力値は、電流ベクトル制御回路２の出力値となるようにしている。このように、この第２実施例においても、第１実施例と同じ動作となる。
【０００７】
次に第３実施例について説明する。
この第３実施例の構成は、第１の実施例のうち、下限リミット手段１２が切り替え手段１２”に変わるだけで、他の動作はすべて第１の実施例と同様である。図３（ｂ）は、切り替え手段１２”の処理機能を示すブロック図である。以下、切り替え手段１２”の動作について説明する。
切り替え手段１２”では、外部から入力されるトルク電流補償値ｉｑｃｍｐと電流ベクトル制御回路２の出力のうち、始動開始から一定時間経過までは、外部から入力されるトルク電流補償値ｉｑｃｍｐを、その後電流ベクトル制御回路２の出力をトルク電流指令値ｉｑｒｅｆとして出力する。トルク電流値の立ち上り時間より長めに、切り替える時間を決めることで、この第３実施例においても第１の実施例と同じように、トルク電流指令値ｉｑｒｅｆの立ち上がりが遅い間は、外部から入力されるトルク電流補償値ｉｑｃｍｐとすることができる。
以上より、始動時、トルク電流指令値の立ち上がりを速くすることができるので、誘導電動機の発生トルクの立ち上がりを速くでき、本発明を実施することができる。
上記実施例では、外部から入力される補償値は、トルク電流補償値ｉｑｃｍｐとして説明したが、トルク補償値を入力しても、トルクからトルク電流の換算を誘導電動機の磁束の大きさを用いて行えば、全く同様の処理で本発明を実施することができる。
また、始動時のショックを和らげる目的で、外部から入力されるトルク電流補償値ｉｑｃｍｐを一次遅れフィルタなどのフィルタ付きで与えても、可変速制御装置で入力値にフィルタを付加しても、全く同様の処理で本発明を実施することができる。
また、これまで適用する電動機を誘導電動機とし説明したが、同期電動機などの交流電動機にも同様に本発明を実施することができる。
【０００８】
【発明の効果】
以上のように本発明の可変速制御装置によれば、出力電圧の大きさ、周波数および位相の制御が可能な電力変換器を介して給電される交流電動機の一次電流を該交流電動機の磁束と平行な磁化電流成分とこれに直行するトルク電流成分とに分離し、各々を独立に調整して少なくとも前記交流電動機トルクを制御する交流電動機の可変速制御装置において、前記交流電動機に所望のトルクを発生させるべくトルク電流補償値を設定するトルク補償入力手段と、磁化電流とトルク電流の各々の検出値を基にトルク電流指令値を求める電流ベクトル制御回路と、前記トルク補償入力手段から入力されるトルク電流補償値と前記電流ベクトル制御回路で演算されるトルク電流指令値とに基づいて始動時にトルク電流指令値を補正し、電圧指令補償手段と一次角周波数演算手段へ出力するトルク電流補正手段とを備えたので、速度制御部（ＡＳＲ）を制御装置自体に内蔵しないで磁化電流、トルク電流の検出値からトルク電流指令を演算して求めるセンサレスベクトル制御の場合でも、始動時の誘導電動機が発生するトルクの立ち上がりを速くすることができるため、速度指令応答のよい運転ができる。
【図面の簡単な説明】
【図１】本発明の可変速制御装置の一例を示すブロック図。
【図２】図１の要部の処理機能を示すブロック図。
【図３】（ａ）は第２実施例で設けられた選択手段１２’の処理機能を示すブロック図。（ｂ）は第３実施例で設けられた切り替え手段１２”の処理機能を示すブロック図。
【図４】従来の可変速制御の一例を示すブロック図。
【符号の説明】
１  電力変換器
２  電流ベクトル制御回路
３  ３相／２相変換器
４  一次角周波数演算回路
５  磁化電流制御回路
６  トルク電流制御回路
７  電圧指令補償回路
８  ２相／３相変換器
９  誘導電動機
１０  積算器
１１  トルク電流補償値入力手段
１２  下限リミット手段
１２’  選択手段
１２”  切り替え手段
【図１】
0004061517.tif 000002
【図２】
0004061517.tif 000003
【図３】
0004061517.tif 000004
【図４】
0004061517.tif 000005